(57)【要約】【課題】建物内またはその敷地内における監視の対象の状態情報を玄関以外でも確認可能にする。【解決手段】  建物内または当該建物の敷地内に設置される表示装置３０は、建物内または敷地内に設置された複数の監視の対象から状態情報を取得するセンサ情報取得部７１と、表示装置の設置場所を示す場所情報を記憶する記憶部と、表示内容処理部７８と、を備える。表示内容処理部は、周囲の人の動きを検知したとき、取得される複数の対象の状態情報のうち、場所情報が示す場所に関連する位置に設置された対象の状態情報をディスプレイに表示させるよう構成される。【選択図】図４
2017224099.tif 000002
【特許請求の範囲】
【請求項１】
建物内または当該建物の敷地内に設置される表示装置であって、
前記建物内または前記敷地内に設置された複数の監視の対象から状態情報を取得する情報取得部と、
前記表示装置の設置場所を示す場所情報を記憶する記憶部と、
表示内容処理部と、を備え、
前記表示内容処理部は、
周囲の人の動きを検知したとき、取得される前記複数の対象の状態情報のうち、前記場所情報が示す場所に関連する位置に設置された前記対象の状態情報をディスプレイに表示させるよう構成される、表示装置。
【請求項２】
前記表示装置は、１つ以上のセンサと通信し、
前記１つ以上のセンサは、それぞれ、前記対象の状態を検知し、当該状態情報を送信し、
前記センサは、当該センサの識別子および当該センサが検知する対象の設置場所を示す場所データを格納するためのセンサ情報記憶部を備え、
前記表示装置は、前記センサから、前記センサ情報記憶部の当該センサの識別子と前記対象の場所データを受信する、請求項１に記載の表示装置。
【請求項３】
前記表示装置は、ユーザの操作内容を受付ける操作受付部を、さらに備え、
前記操作内容は、前記センサの識別子と当該センサが検知する対象の設置場所を示す場所データを含み、
前記表示装置は、前記センサに、前記操作内容が示す前記センサの識別子と前記対象の場所データを送信する、請求項２に記載の表示装置。
【請求項４】
前記対象について取得された前記状態情報の履歴を、前記ディスプレイに表示させる手段をさらに備える、請求項１から３のいずれか１項に記載の表示装置。
【請求項５】
予め定められた期間における前記状態情報の履歴から、前記対象の状態の変化を検出し、検出された変化を表示させるために他の前記表示装置に送信する手段をさらに備える、請求項４に記載の表示装置。
【発明の詳細な説明】
【技術分野】
【０００１】
この発明は表示装置に関し、特に、建物内または当該建物の敷地内の各部の状態を表示する表示装置に関する。
【背景技術】
【０００２】
特許文献１（特開２００９−２３７８０２号公報）は、戸締まりが完了していないことを高い確率で外出しようとする人に気付かせる構成を開示する。具体的には、建物から人が外出する時に戸締まりが完了していなければ、外出する際に人が通過する戸（玄関を含む）を施錠する行為（外出時に行う行為）を抑制するとともに（鍵穴を遮蔽する等）、戸締り状態の情報をディスプレイに表示する。
【先行技術文献】
【特許文献】
【０００３】
【特許文献１】特開２００９−２３７８０２号公報
【発明の概要】
【発明が解決しようとする課題】
【０００４】
ユーザは、玄関から外出する前に、自然な動作の中で戸締りの状態を確認したいが、特許文献１では玄関の鍵を挿すまで戸締まりの確認が出来ない。また玄関に限らず、建物内の所望する場所でユーザが自然な動作を行う中で、戸締り状態をユーザに通知する事が好ましい。例えば就寝前に寝室のドアにおいて戸締り状態を確認したい、または、入浴する前に浴室手前のドアにおいて戸締り状態を確認したい等の要望がある。しかし、特許文献１は外出する際に建物の戸締り状態を玄関において確認させるものであるから、上記の要望に応えることはできない。
【０００５】
この開示は、建物内またはその敷地内における監視の対象の状態情報を玄関以外でも確認可能にする表示装置を提供することである。
【課題を解決するための手段】
【０００６】
この発明のある局面に従うと、建物内または当該建物の敷地内に設置される表示装置は、建物内または敷地内に設置された複数の監視の対象から状態情報を取得する情報取得部と、表示装置の設置場所を示す場所情報を記憶する記憶部と、表示内容処理部と、を備える。表示内容処理部は、周囲の人の動きを検知したとき、取得される複数の対象の状態情報のうち、場所情報が示す場所に関連する位置に設置された対象の状態情報をディスプレイに表示させるよう構成される。
【０００７】
好ましくは、表示装置は、１つ以上のセンサと通信し、１つ以上のセンサは、それぞれ、対象の状態を検知し、当該状態情報を送信し、センサは、当該センサの識別子および当該センサが検知する対象の設置場所を示す場所データを格納するためのセンサ情報記憶部を備え、表示装置は、センサから、センサ情報記憶部の当該センサの識別子と対象の場所データを受信する。
【０００８】
好ましくは、表示装置は、ユーザの操作内容を受付ける操作受付部を、さらに備え、操作内容は、センサの識別子と当該センサが検知する対象の設置場所を示す場所データを含み、表示装置は、センサに、操作内容が示すセンサの識別子と対象の場所データを送信する。
【０００９】
好ましくは、対象について取得された状態情報の履歴をディスプレイに表示させる手段をさらに備える。
【００１０】
好ましくは、予め定められた期間における状態情報の履歴から、対象の状態の変化を検出し、検出された変化を表示させるために他の表示装置に送信する手段をさらに備える。
【発明の効果】
【００１１】
本開示によれば、建物内またはその敷地内における監視の対象の状態情報を玄関以外でも確認可能にする。
【図面の簡単な説明】
【００１２】
【図１】この発明の実施の形態に係る情報管理システムの構成図である。
【図２】本実施の形態に係るセンサ装置２４の構成図である。
【図３】本実施の形態に係る表示装置３０の構成図である。
【図４】本発明の実施の形態に係る各部の機能構成図である。
【図５】本実施の形態に係る表示装置データベースＤＢ１の構成図である。
【図６】本実施の形態に係るセンサデータベースＤＢ２の構成図である。
【図７】実施の形態１に係る表示装置３０におけるセンサ装置２４の登録処理のフローチャートである。
【図８】実施の形態１に係る表示装置３０にセンサ装置２４を登録するための通信シーケンス図である。
【図９】実施の形態１に係る表示装置３０にセンサ装置２４を登録するための通信シーケンス図である。
【図１０】実施の形態１に係る表示装置３０による状態情報を収集するための通信シーケンスである。
【図１１】実施の形態１に係る表示の一例を示す図である。
【図１２】実施の形態２に係る表示装置３０の新規登録前と後のシステムの構成を示す図である。
【図１３】実施の形態２におけるセンサＩＤの一覧表示を示す図である。
【図１４】実施の形態６に係る表示例を示す図である。
【発明を実施するための形態】
【００１３】
以下、実施の形態について、図を参照して詳細に説明する。なお、以下に示す実施の形態においては同一または対応する部分に図中同一の符号を付し、その説明は繰返さない。
【００１４】
［概要]
各実施の形態では、建物内または当該建物の敷地内に設置された表示装置は、表示装置の設置場所を示す場所情報を記憶するとともに、建物内または敷地内に設置された複数の監視の対象から状態情報を取得する。周囲の人の動きを検知したときは、取得される複数の対象の状態情報のうち、当該表示装置の場所情報が示す設置場所に関連する位置に設置された対象についての状態情報がディスプレイに表示される。これにより、実施の形態では、表示装置の設置場所ごとに、異なる対象の状態情報を表示することができる。
【００１５】
各実施の形態では、「建物」は例えば家屋を示すが、家屋に限定されず工場、店舗、オフィス、倉庫、学校、病院などを含むその他の建物を含み得る。
【００１６】
また、「敷地」は上記の建物を設けるための土地を示す。例えば、家屋が設けられた土地は、庭、車庫スペース、玄関先などの門扉が設けられ得るスペースを含み得る。
【００１７】
[実施の形態１]
（構成）
図１は、この発明の実施の形態に係る情報管理システムの構成図である。図１を参照して、情報管理システム（以下、単にシステムとも称する）は、表示装置３０、および監視すべき対象の状態を検知する複数のセンサ装置を備える。これらは、建物または建物の敷地に設置される。表示装置３０は、複数のセンサ装置と有線または無線のネットワーク４０１を介して通信する。
【００１８】
図１では、複数のセンサ装置は、建物内または敷地内に設置された複数の監視の対象（以下、監視対象とも称する）の状態を検知する。複数のセンサ装置は、例えば窓の開閉を検知する窓センサ２４Ａ、ガスコンロのオン/オフを検知するガスセンサ２４Ｂおよび窓の開閉を検知する窓センサ２４Ｃを含む。実施の形態では、窓センサ２４Ａ、ガスセンサ２４Ｂおよび照明センサ２４Ｃ等をセンサ装置２４と総称する場合がある。
【００１９】
なお、センサ装置２４による監視の対象は、上記に述べた照明器、ガスコンロ、窓に限定されず、ドア（玄関ドアを含む）、エアコン、その他電気やガスを使用する機器を含み得る。また、監視の対象は、建物内に限定されず敷地内の門扉、車庫のドア等も含み得る。また、対象の状態は、オン/オフ、開閉に限定されない。また、センサ装置２４の種類も、これらに限定されない。センサ装置２４は、監視の対象と別体に構成されるか、または対象に内蔵され得る。
【００２０】
表示装置３０は、各実施の形態では、建物内の部屋、風呂場、出入り口の扉(内側/外側)等に設置されるが、設置場所は、これらに限定されず、例えば敷地の門扉の内側、塀の内側等に設置されてもよい。
【００２１】
図１では、表示装置３０の設置場所としては、例えば、建物の出入り口扉である玄関ドア（扉）付近であってドアの内側または外側、勝手口のドア（扉）付近、または室内（子供部屋、寝室、台所、居間、洗面所、風呂場等）に設置される。
【００２２】
図１を参照して、表示装置３０にはセンサ４０が有線または無線で接続される。センサ４０は、表示装置３０の周囲の人の動きを検知する「動き検知部」の一実施例である。センサ４０は、表示装置３０が玄関ドア付近に設置された場合には、例えば、ドアノブに内蔵されたタッチセンサ、または表示装置３０のタッチパネルが有するタッチセンサに相当する。タッチセンサは、例えば人体が接触したことによる静電容量の変化から人の動きを検知する。なお、動きを検知するセンサは、これに限定されず、インカメラ等による被写体の撮像画像の変化から人の動きを検知するセンサ、赤外線量の変化から動きを検知するセンサ等を含む。なお、人の動きの検知方法はこれらに限定されない。
【００２３】
また、表示装置３０は一体的にセンサ４０を接続するが、外部に設けられたセンサ４０と通信するとしてもよい。
【００２４】
図２は、本実施の形態に係るセンサ装置２４の構成図である。図２を参照して、センサ装置２４は、ＣＰＵ（Central  Processing  Unit）２１、センサ２２、ネットワーク４０１を介して通信するための通信Ｉ／Ｆ（インターフェイスの略）２３、記憶部２５およびタイマ２６を含む。
【００２５】
センサ２２は、センシング動作による検知信号を出力する。ＣＰＵ２１は、センサ２２からの検知信号に基づき、監視対象の状態を判定し、センサ情報を通信Ｉ／Ｆ２３を介して表示装置３０に送信する。センサ情報は、上記のセンサＩＤ８５と判定された状態情報とを含む。通信Ｉ／Ｆ２３は、通信回路（変調回路、復調回路、誤り訂正回路など）を有する。
【００２６】
図３は、本実施の形態に係る表示装置３０の構成図である。図４を参照して、表示装置３０は、ＣＰＵ（Central  Processing  Unit）３１、液晶などからなるディスプレイ３２、プログラムおよびデータを格納する記憶部３３、ネットワーク４０１と通信するための通信Ｉ／Ｆ３４、センサ４０と入出力するためのセンサＩ／Ｆ３５、タイマ３６およびタブレットなどの操作部３７を備える。ディスプレイ３２と操作部３７とは、ユーザ操作を受付けるタッチパネル３８を構成し得る。
【００２７】
記憶部３３は、表示装置３０を識別するための表示ＩＤ５１（後述する）、ＣＰＵ３１によって実行される制御プログラムおよびデータを記憶する。データには、後述する表示装置データベースＤＢ１およびセンサデータベースＤＢ２が含まれる。表示ＩＤ５１は、例えば、表示装置３０を設置するときに、タッチパネル３８のユーザ操作により記憶部３３に格納される。
【００２８】
記憶部３３は、各種のＲＡＭ（Random  Access  Memory）や、ＲＯＭ（Read-Only  Memory）や、ハードディスクなどによって実現される。たとえば、記憶部３３は、読取用のインターフェイスを介して利用される、ＵＳＢ（Universal  Serial  Bus）メモリ、ＣＤ−ＲＯＭ（Compact  Disc  -  Read  Only  Memory）、ＤＶＤ−ＲＯＭ（Digital  Versatile  Disk  -  Read  Only  Memory）、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体などによっても実現され得る。
【００２９】
ディスプレイ３２と操作部３７は、ユーザの指によるタッチ操作を検出して、検出した操作に基づき、表示装置３０に対するユーザ指示をＣＰＵ３１に出力する。
【００３０】
通信Ｉ／Ｆ３４は、ＣＰＵ１１０によって制御されることによって、ネットワーク４０１を介して通信する。
【００３１】
（機能構成）
図４は、本発明の実施の形態に係る各部の機能構成図である。センサ装置２４は、通信Ｉ／Ｆ２３を制御する通信部８０、センサ登録部８１、センサ情報生成部８２、および記憶部２５に相当するセンサ情報記憶部８４を備える。センサ情報記憶部８４は、センサ装置２４を識別するためのセンサＩＤ（Identification)８５とセンサ装置２４が設置された場所（部屋、階等）を示す場所データ８６が格納される。
【００３２】
表示装置３０は、通信Ｉ／Ｆ３４を制御するための通信部７０、センサ情報取得部７１、センサデータベースＤＢ２に情報を登録（書込）するためのセンサＤＢ（データベースの略）登録部７２、センサ４０からの出力を処理するセンサ処理部７３、およびタッチパネル３８からのユーザ操作内容を処理する入力処理部７４を備える。表示装置３０は、さらに、判定部７５、センサ情報処理部７６、表示装置情報処理部７７、ディスプレイ３２に情報を表示させるための表示内容処理部７８、および表示装置データベースＤＢ１に情報を登録するための表示装置ＤＢ登録部７９を備える。表示内容処理部７８は、状態情報の履歴を判定する履歴判定部７８１を含む。図４の各部はプログラム、またはプログラムと回路の組み合わせにより構成される。プログラムは、各装置の記憶部に格納されて、各装置のＣＰＵにより記憶部から読出されて、実行される。図４の各部の機能の詳細は後述する。
【００３３】
（データベースの構成）
図５は、本実施の形態に係る表示装置データベースＤＢ１の構成図である。表示装置データベースＤＢ１には、タッチパネル３８を介したユーザ操作による情報が登録され得る。
【００３４】
図５（Ａ）は、例えば、玄関ドアの内側付近に設置された表示装置３０の表示装置データベースＤＢ１を示し、図５（Ｂ）は、玄関ドアの外側付近に設置された表示装置３０の場合の表示装置データベースＤＢ１を示す。図５（Ａ）と（Ｂ）を参照して、表示装置データベースＤＢ１は、表示装置３０を識別するためのＩＤデータ５１、当該表示装置３０が設置された建物または敷地における場所を識別するための設置場所データ、およびディスプレイ３２に表示すべき監視対象の状態情報を指定するための表示設定５５を含む。設置場所データは、当該表示装置３０が設置された場所５２、当該場所における設置箇所の種類５３および設置態様の詳細５４を含む。実施の形態１では、ＩＤデータ５１は、ネットワーク４０１を介した通信におけるアドレス（送信元／宛先）として用いることもできる。
【００３５】
図５（Ａ）と（Ｂ）では、例えば、場所５２は‘玄関’を、設置箇所の種類５３は‘ドア’および詳細５４はドアの‘内側/外側の別’をそれぞれ示す。なお、示される情報は、これらに限定されない。
【００３６】
表示設定５５は、表示装置３０により状態情報が表示されるべき監視の対象の指定と、当該対象の状態情報について、現在値を表示するかまたは後述する履歴６５を表示するかの指定とを含む。図５（Ａ）と（Ｂ）では、表示設定５５の内容は、建物内の全ての対象について状態情報を表示することを示す。この表示設定５５によれば、家人が外出時/帰宅時において、玄関ドア付近で建物または敷地内の全ての対象について状態情報を表示することが可能となる。このように、表示装置データベースＤＢ１により、建物または敷地内の複数の監視の対象のうち、対応の表示装置３０の設置場所に関連する位置に設置された監視の対象を指定することができる。
【００３７】
表示設定５５の他の例として、表示装置３０が２階子供部屋に設置される場合は、２階子供部屋の対象（例えば窓）の状態情報のみが表示されるように設定されてもよい。また、表示装置３０が勝手口付近に設置される場合は、１階の対象（例えば窓またはドア）の状態情報のみが表示されるように設定されてもよい。なお、表示設定５５の内容は、表示装置３０の設置場所毎に異なるものであればよく、これらに限定されない。
【００３８】
図６は、本実施の形態に係るセンサデータベースＤＢ２の構成図である。センサデータベースＤＢ２には、各センサ装置２４から受信した情報またはタッチパネル３８からのユーザ操作内容に基づく情報が登録される。センサデータベースＤＢ２には、各センサ装置２４について、当該センサ装置２４のデータを識別するためのデータ６１、当該センサ装置２４が設置された場所を識別するための設置場所データ、および当該センサ装置２４をユー該センサ装置２４による検知出力（すなわち対象の状態情報）の経時的な変化を示す履歴６５を含む。設置場所データは、センサ装置２４が設置された部屋等の場所６２および設置された階（建物の１階、２階等）６３を含む。センサ装置２４は監視の対象の付近に設置される、または対象に一体的に設置されるので、設置場所データにより、監視対象の設置場所も示されることになる。なお、設置場所データの内容はこれに限定されない。
【００３９】
また、履歴６５は、状態が検知された時間と、当該検知状態とを関連付けた組を１つ以上含む。
【００４０】
（センサ装置２４の登録処理）
図７は、実施の形態１に係る表示装置３０におけるセンサ装置２４の登録処理のフローチャートである。このフローチャートは、予めプログラムとして記憶部３３に格納されて、ＣＰＵ３１はプログラムを記憶部３３から読出し、実行する。
【００４１】
図７を参照して、表示装置３０におけるセンサ装置２４のデータをセンサデータベースＤＢ２に登録する処理を説明する。まず、センサＤＢ登録部７２は、表示装置３０の検出エリア内にセンサデータベースＤＢ２に未登録のセンサ装置２４が存在するか否かを判断する（ステップＴ１）。例えば、新規にセンサ装置２４を登録する場合には、ユーザが新規登録である旨を表示装置３０に入力する。したがって、センサＤＢ登録部７２は、ユーザ入力に基づき未登録のセンサ装置２４が存在するか否かを判断することができる。なお、判断方法はこれに限定されない。
【００４２】
センサＤＢ登録部７２は、未登録のセンサ装置２４はないと判断すると（ステップＴ１でＮＯ）、一連の処理は終了するが、未登録のセンサ装置２４があると判断すると（ステップＴ１でＹＥＳ）、センサＤＢ登録部７２は、センサＩＤの確認を実施する（ステップＴ３）。具体的には、センサＤＢ登録部７２は、ネットワーク４０１を介して要求を送信する。センサ装置２４のセンサ登録部８１は、要求に基づきセンサ情報記憶部８４を検索し、検索の結果を含む応答を送信する。応答は、センサ情報記憶部８４においてセンサＩＤ８５と場所データ８６を検索できた場合には、両方のデータを含むが、検索できなかった場合には、応答はこれらデータを含まない。
【００４３】
表示装置３０のセンサＤＢ登録部７２は、各センサ装置２４から受信する情報からセンサＩＤ８５の確認（抽出）処理を実施する（ステップＴ３）。
【００４４】
センサＤＢ登録部７２は、受信情報からセンサＩＤ８５を確認できない、すなわちセンサ装置２４のセンサ情報記憶部８４にセンサＩＤ８５と場所データ８６は格納されていないと判断したときは（ステップＴ５でＮＯ）、ユーザはタッチパネル３８を操作してこれらデータを入力する。センサＤＢ登録部７２は、受付けたユーザ操作内容からセンサＩＤ６４と場所データを入力し、これらを関連付（紐付）けてセンサデータベースＤＢ２に登録する（ステップＴ６）。その後、ステップＴ１の処理に戻る。
【００４５】
一方、受信した情報からセンサＩＤ８５と場所データ８６を確認できたとき、すなわちセンサ装置２４のセンサ情報記憶部８４に両方のデータが既に格納されていると判断したときは（ステップＴ５でＹＥＳ）、センサＤＢ登録部７２は、受信したセンサＩＤ８５と場所データ８６を、センサＩＤ６４および場所データとして両者を関連付（紐付）けてセンサデータベースＤＢ２に登録する（ステップＴ７）。その後、ステップＴ１の処理に戻る。センサＤＢ登録部７２は、センサデータベースＤＢ２に関連付けて登録した各データに、当該データを識別するデータ６１を付加する。
【００４６】
（センサ装置２４を登録するための通信シーケンス）
図８と図９は、実施の形態１に係る表示装置３０にセンサ装置２４を登録するための通信シーケンス図である。この通信シーケンスは、図７の登録処理に関連したものである。通信シーケンスにおけるセンサ装置２４側のフローチャートはプログラムとして記憶部２５に格納されて、また、表示装置３０側のフローチャートはプログラムとして記憶部３３に格納される。
【００４７】
〈初期登録〉
図８を参照して、センサ装置２４をシステムに初期登録する場合を説明する。初期登録時には、センサ装置２４のセンサ情報記憶部８４にはセンサＩＤ８５および場所データ８６は未だ格納されていない。
【００４８】
まず、表示装置３０のセンサＤＢ登録部７２は、ユーザ操作内容に従い登録すべきセンサ装置２４があることを検知すると、センサＩＤを含む情報の要求を送信する（ステップＳ１）。
【００４９】
センサ装置２４は、センサ登録部８１は、センサ情報記憶部８４を検索し、検索の結果に基づき、表示装置３０から受信した要求に従う応答を送信する（ステップＳ２）。この場合、センサ情報記憶部８４には、センサＩＤ８５および場所データ８６は格納されていないので、当該応答には、これらデータは含まれない。
【００５０】
表示装置３０のセンサＤＢ登録部７２は、センサ装置２４から受信する応答にセンサＩＤが含まれないことを確認すると（ステップＳ３）、タッチパネル３８を介したユーザ操作内容からセンサＩＤ６４および場所データを入力して、これらを相互に関連付けてセンサデータベースＤＢ２に登録する（ステップＳ４）。
【００５１】
センサＤＢ登録部７２は、情報保存要求をセンサ装置２４に送信する（ステップＳ５）。情報保存要求は、ステップＳ４でセンサデータベースＤＢ２に登録されたセンサＩＤ６４と場所データを含み、これらをセンサ情報記憶部８４に格納する要求を示す（ステップＳ５）。
【００５２】
センサ装置２４のセンサ登録部８１は、受信した情報保存要求に従い、センサＩＤ６４と場所データとをセンサ情報記憶部８４に格納し（ステップＳ６）、処理完了の通知を表示装置３０に送信する。
【００５３】
これにより、既存のシステムに新たなセンサ装置２４を追加する場合に、当該センサ装置２４の情報（センサＩＤおよび場所データ）を表示装置３０のセンサデータベースＤＢ２に新規登録することができるとともに、当該センサ装置２４のセンサ情報記憶部８４にも登録することができる。
【００５４】
〈表示装置３０の初期登録〉
図９を参照して、システムに表示装置３０を追加で設置する場合を説明する。まず、表示装置３０のセンサＤＢ登録部７２は、ユーザ操作内容に従いセンサ装置２４を登録すべきことを検知すると（ステップＳ１１）、センサＩＤを含む情報を問合せるための要求をネットワーク４０１に送信する（ステップＳ１２）。
【００５５】
センサ装置２４は、表示装置３０から受信した要求に従う応答を送信する（ステップＳ１３）。この場合、センサ情報記憶部８４には、例えば、図８の処理によりセンサＩＤ８５および場所データ８６が既に格納されているので、当該応答はこれらデータを含む。
【００５６】
表示装置３０のセンサＤＢ登録部７２は、受信した応答がセンサＩＤ８５を含むことを確認すると（ステップＳ１４）、受信したセンサＩＤ８５と場所データ８６をセンサＩＤ６４および場所データとして関連付けてセンサデータベースＤＢ２に登録する（ステップＳ１５）。
【００５７】
これにより、表示装置３０が既存のシステムに新規に登録されるときは、表示装置３０は、システムに既存のセンサ装置２４に問合わせて、それに対する応答（センサＩＤ８５および場所データ８６）を用いて、当該センサ装置２４の情報をセンサデータベースＤＢ２に自動的に登録することができる。この処理は、表示装置３０を別の場所に移動させて設置した場合であっても同様に実施される。これにより、表示装置３０は、移動後の設置場所から検出可能なエリア内にあるセンサ装置２４の情報を、センサデータベースＤＢ２に自動的に登録することができる。
【００５８】
（状態情報の収集処理）
図１０は、実施の形態１に係る表示装置３０による状態情報を収集するための通信シーケンスである。この通信シーケンスにおいてセンサ装置２４側のフローチャートはプログラムとして記憶部２５に格納されて、また、表示装置３０側のフローチャートはプログラムとして記憶部３３に格納される。
【００５９】
図１０を参照して、まず、センサ装置２４のセンサ情報生成部８２はセンサ２２の検知信号に基づく状態情報を含む上述のセンサ情報を生成して、通信部８０を介して表示装置３０に送信する（ステップＳ１７、Ｓ１８）。
【００６０】
表示装置３０のセンサ情報取得部７１は、通信部７０を介して、各センサ装置２４から受信するセンサ情報を、センサＩＤ８５を判定しながらセンサデータベースＤＢ２に格納する（ステップＳ１９、ステップＳ２０）。具体的には、センサ情報取得部７１は受信したセンサ情報に含まれるセンサＩＤ８５に基づきセンサデータベースＤＢ２を検索する。検索の結果、センサＩＤ８５に一致するセンサＩＤ６４に関連付けて、受信したセンサ情報の状態情報を履歴６５として格納する。
【００６１】
これにより、表示装置３０は、各センサ装置２４により検知された対象の状態情報を、履歴６５としてセンサデータベースＤＢ２において収集することができる。
【００６２】
なお、実施の形態１では、状態情報の送信（収集）は、例えば定期的な間隔で実施されるが、送信タイミングは定期的なものに限定されず、例えば、状態情報が前回値から変化したときに実施されるとしてもよい。
【００６３】
（状態情報の表示処理）
表示装置３０は、当該表示装置３０の設置場所に関連付けられた対象の状態情報を表示する。まず、表示装置３０のセンサ処理部７３は、センサ４０から人の動きの検知出力を受付けると、判定部７５を起動する。判定部７５は、表示装置情報処理部７７に対して表示装置データベースＤＢ１から表示設定５５を読出すように指示するとともに、センサ情報処理部７６に対してセンサデータベースＤＢ２から各センサ装置２４のデータを読出すように指示する。
【００６４】
表示装置情報処理部７７は指示に従い、表示装置データベースＤＢ１から表示設定５５を読出し、表示内容処理部７８に出力する。また、センサ情報処理部７６は指示に従い、センサデータベースＤＢ２から各センサ装置２４のデータを読出し、表示内容処理部７８に出力する。
【００６５】
表示内容処理部７８は、センサ情報処理部７６から入力する各センサ装置２４のデータのうちから、表示設定５５により指定されているセンサ装置２４のデータを選択的に抽出し、抽出されたデータに基づき表示内容を決定する。決定された表示内容は、例えばＨＴＭＬ（HyperText  Markup  Language）のデータに変換されて、表示用データとしてディスプレイ３２に出力する。したがって、ディスプレイ３２は、表示用データに従う画像を表示する。
【００６６】
これにより、周囲の人の動きが検知されたとき、表示装置３０は、当該表示装置３０の設置場所に関連付けられた監視の対象についての状態情報を取得してディスプレイ３２に表示することができる。
【００６７】
（表示装置と状態情報の関連付け）
表示装置３０の設置場所ごとに、当該表示装置３０には異なる対象の状態情報を表示するが、表示装置３０の設置場所と監視対象の関連付けは、例えば次のようであってもよい。
【００６８】
表示装置３０が、玄関ドアの内側に表示装置３０が設置される場合には、建物内の全ての対象の状態（例えば、窓の開閉状態、電子機器（テレビ、エアコン、ファンヒータ等）のオン／オフ状態、照明のオン／オフ状態、コンロのオン／オフ状態等が表示される。また、玄関ドアの外側に設置される場合には、窓の開閉状態変化、その他機器の状態変化等が表示される。風呂場に設置される場合には、電子機器（テレビ、エアコン、ファンヒータ等）のオン／オフ状態、コンロのオン／オフ状態、玄関ドアのロック状態等が表示される。また、子供部屋内に設置される場合には、子供部屋の窓の開閉状態、子供部屋の電子機器のオン／オフ状態等が表示される。これらの関連付けは一例であり限定されない。
【００６９】
（表示例）
図１１は、実施の形態１に係る表示の一例を示す図である。図１１は、監視されるべき対象が部屋の窓である場合の表示例を示す。表示装置３０の設置場所が玄関ドアの内側である場合は、外出時にユーザがドアノブにタッチする等してセンサ４０により人の動きが検知されると、図１１に示されるように、当該表示装置３０の設置場所に関連付けされた対象の状態情報がディスプレイ３２に表示される。
【００７０】
図１１（Ａ）では子供部屋の窓が開いた状態である旨が表示され、図１１（Ｂ）では建物内の全ての窓が閉まっていることを示す状態情報に基づき問題がないことが表示され、図１１（Ｃ）では、表示装置３０の設置場所に関連付けされた対象の状態情報の一部に欠落がある（例えば、状態情報が検出できていない）旨が表示される。
【００７１】
なお、図１１は監視されるべき対象として窓の状態情報を表示したが、他の種類の対象（電気機器、コンロ等）であっても、その状態情報に従い、図１１と同様の表示を行うことができる。
【００７２】
[実施の形態２]
実施の形態２は、実施の形態１の変形例を説明する。上記の〈表示装置３０の初期登録〉において述べたように、システムに表示装置３０を新規に登録することができる。図１２は、実施の形態２に係る表示装置３０の新規登録前と後のシステムの構成を示す図である。図１３は、実施の形態２におけるセンサＩＤの一覧表示を示す図である。
【００７３】
図１２（Ａ）は新規登録前における各表示装置３０と１つ以上のセンサ装置２４との対応関係を示している。このセンサ装置２４は、対応の表示装置３０の設置場所に関連付けされた対象の状態情報を検知する。
【００７４】
図１２（Ａ）のシステムは、建物の１階の居間に設置された表示装置（１）（以下、表示装置３０Ａと呼ぶ）と、２階に配置された表示装置（２）（以下、表示装置３０Ｂと呼ぶ）を備える。表示装置３０Ｂは、２階に配置された全対象の状態情報を表示するために設けられている。
【００７５】
ユーザが、表示装置（３）（以下、表示装置３０Ｃと呼ぶ）を２階の子供部屋に新規に設置して、子供部屋の窓の状態を検知する新たなセンサ装置２４Ｈを配置した場合を説明する。この場合には、表示装置３０Ｃは、新たな監視の対象である子供部屋の窓のセンサ装置２４Ｈの情報をセンサデータベースＤＢ２に登録する。この登録処理は、図８の処理に従い実施される。
【００７６】
さらに、表示装置３０Ｂのセンサ装置２４Ｆを、表示装置３０Ｂから表示装置３０Ｃに移動させる。移動処理はプログラムとして記憶部３３に格納されて、ＣＰＵ３１はプログラムを記憶部３３から読出し、実行する。この移動処理は、以下のステップＳ３０〜Ｓ３６からなる。
【００７７】
ステップＳ３０：表示装置３０Ｃは、表示装置３０Ｂと通信しセンサ装置２４の情報の一覧を要求する。
【００７８】
ステップＳ３１：表示装置３０Ｂは、要求を受信すると、センサデータベースＤＢ２に登録された情報から、表示設定５５に基づき１つ以上のセンサＩＤ６４を抽出する。
【００７９】
ステップＳ３２：表示装置３０Ｃは抽出されたセンサＩＤ６４を、表示装置３０Ｂから受信し、ディスプレイ３２にセンサＩＤ６４に基づく識別子の一覧データを、例えば図１３のように表示する。
【００８０】
ステップＳ３３：ユーザは、図１３の一覧データから、１つ以上のデータを選択する。図１３では、枠３２０で囲まれた‘窓（５）のセンサ’（センサ装置２４Ｆが対応）が選択された状態が示されている。
【００８１】
ステップＳ３４：ユーザが、アイコン３２１をタッチすると、表示装置３０ＣのＣＰＵ３１は、選択された‘窓（５）のセンサ’のセンサＩＤ６４を、表示装置データベースＤＢ１の表示設定５５に追加する。
【００８２】
ステップＳ３５：表示装置３０ＣのＣＰＵ３１は、表示装置３０Ｂに対して‘窓（５）のセンサ’の移動が登録された旨の通知を送信する（ステップＳ３５）。
【００８３】
ステップＳ３６：表示装置３０ＢのＣＰＵ３１は、表示装置３０Ｃから受信した移動登録の通知に基づき、自己の表示装置データベースＤＢ１の表示設定５５からから‘窓（５）のセンサ’に関する情報を削除する（ステップＳ３６）。以上により、移動処理は終了する。
【００８４】
このような移動処理により、‘窓（５）のセンサ’によって検知される子供部屋の窓の状態情報は、表示装置３０Ｃの新規登録前においては、表示装置３０Ｂで表示されていたが、新規登録後においては表示装置３０Ｂに代えて表示装置３０Ｃで切替えて表示することが可能となる。
【００８５】
したがって、例えば、図１１（Ｃ）のように状態情報が検出できていない等の場合には、表示装置３０とセンサ装置２４の距離が長いために、受信する電波強度が低い場合が想定され得る。このようなケースであっても、上記の移動処理を行うことにより、センサ装置２４の近くに表示装置３０を移動させることができて、電波強度に起因して状態情報を検出できない等の事態を防止することができる。
【００８６】
[実施の形態３]
実施の形態３は、実施の形態１または２の変形例を示す。表示装置３０が履歴６５を表示する場合に、ディスプレイ３２は、各対象の状態情報または履歴６５をスクロール表示する。これにより、表示画面が小さい場合でも、監視すべき対象の全てについて状態情報および履歴６５を提示することができる。
【００８７】
また、図１１では監視の対象（例えば窓）の設置場所を文字情報で提示しているが、場所の特定方法はこれに限定されない。例えば、建物または敷地の見取図において対象の場所をアイコンなどで示しながら、アイコンに関連付けて当該対象の現在の状態情報または履歴６５を示すようにしてもよい。また、このアイコンがクリックされると対応の現在の状態情報または履歴６５がポップアップ表示されるとしてもよい。
【００８８】
［実施の形態４］
実施の形態４は、上記の実施の形態１〜３の変形例を示す。実施の形態４では、ユーザが指定した対象の状態情報のみを表示する。
【００８９】
具体的には、表示装置３０のセンサ４０が人の動きを検知したとき、表示装置３０は表示設定５５に示された全ての対象の識別情報（名称等）をセンサデータベースＤＢ２から読出し、ディスプレイ３２に表示する。ユーザは、表示された対象の識別情報のうちからタッチパネル３８を介して１つ以上の対象を指定操作する。入力処理部７４は、ユーザの操作内容に従い、指定された対象の状態情報の要求を判定部７５に出力する。判定部７５は、指定された対象の状態情報のみをセンサデータベースＤＢ２から読出すようにセンサ情報処理部７６に指示する。これにより、表示装置３０は、関連付けられた複数の対象のうちユーザが指定した対象のみについて、その状態情報を表示することができる。
【００９０】
［実施の形態５］
実施の形態５は、上記の実施の形態１〜４の変形例を説明する。図１のシステムには、通信の中継機器を設けてもよい。中継器には、表示装置３０が含まれてもよい。つまり、システムに複数の表示装置３０が備えられる場合には、表示装置３０は、他の表示装置３０とセンサ装置２４との間の通信を中継する機能を有する。これにより、中継器で信号を増幅することができて、表示装置３０とセンサ装置２４の間の距離によらず、信号の減衰等によるデータ欠落を回避することが可能となる。したがって、図１１（Ｃ）に説明したような、通信データの欠落に起因した状態情報の喪失を防止することが可能になる。
【００９１】
[実施の形態６]
実施の形態６は、上記の各実施の形態の変形例を示す。実施の形態６では、システムに複数の表示装置３０が備えられる。この場合において、表示装置３０の通信部７０は、他の表示装置３０と通信する通信機能を有する。表示装置３０は、通信により、他の表示装置３０で取得された対象の状態情報を受信し、受信した状態情報と、自己の表示装置３０で取得した状態情報とをディスプレイ３２に表示する。
【００９２】
したがって、１台の表示装置３０により、他の各表示装置３０の設置場所に関連付けされた対象の状態情報を表示することができる。
【００９３】
また、表示装置３０の履歴判定部７８１は、状態情報の履歴６５から、予め定められた期間における状態情報の履歴６５を自己のディスプレイ３２、または他の表示装置３０のディスプレイ３２に表示する。また、履歴判定部７８１は、当該期間における状態情報の履歴６５から、対象の状態の変化を検出し、検出結果を自己のディスプレイ３２、または他の表示装置３０のディスプレイ３２に表示させる。
【００９４】
具体的には、例えば、玄関ドアの内側に設置された表示装置３０の履歴判定部７８１は、玄関ドアノブに内蔵のセンサ４０の出力から、玄関からの出入り動作が検知される。すなわち、家人が玄関を出て外出してから、その後玄関を入ろうとする帰宅までの時間が検出される。履歴判定部７８１は、表示設定５５が指定する対象の履歴６５を分析し、当該期間内において対象の状態の変化があったか否かを判定する。判定の結果は、玄関ドアの外側に設置された表示装置３０に送信される。玄関ドアの外側の表示装置３０は、受信した判定の結果を自己のディスプレイ３２に表示する。変化が検出された場合には、判定の結果は、例えば、状態変化があった対象の識別情報（例えば、窓、ドア等）と、当該対象の現在の状態情報（開閉の別）を含む。これにより、家人は外出から戻ったとき、玄関ドアの外側において、不在中に建物内の監視対象（例えば、窓、ドア等）について状態の変化があったか否かの情報を確認することができる。また、変化が検出された場合は、警告を出力させるようにしてもよい。
【００９５】
〈履歴判定による表示例〉
図１４は、実施の形態６に係る表示例を示す図である。上記に述べたように、外出から帰宅したユーザが玄関ドアの外側のドアノブにタッチする等してセンサ４０により人の動きが検知されると、履歴判定部７８１による判定の結果が、玄関ドアの外側の表示装置３０のディスプレイ３２に表示される。
【００９６】
まず、図１４（Ａ）では子供部屋の窓が開いた状態であることと、開けられた時間とが関連付けて表示され、図１４（Ｂ）では前回外出したときから窓の開閉状態に変化があったことが表示されている。また、図１４（Ｃ）では、対象の状態情報の一部に欠落がある（例えば、状態情報が検出できていない）ことが表示されており、図１４（Ｄ）では、例えば監視対象である窓の全てが閉まっており問題ないことが表示されている。
【００９７】
なお、図１４（Ｃ）が電波強度に起因して状態情報を検出できない等の場合には、上記に述べた移動処理を行うことにより、センサ装置２４の近くに表示装置３０を移動させることができて、状態情報の検出が可能となる。また、上記に述べたように他の表示装置３０を中継装置として用いても、当該事態を防止することができる。
【００９８】
[実施の形態７]
実施の形態７は、上記の各実施の形態の変形例を説明する。実施の形態７では、表示装置３０は異なる場所に設置されることに照らして、表示装置３０の表示ＩＤ５１を、場所５２、種類５３および詳細５４の組合せから生成する。これにより、表示装置データベースＤＢ１において、ＩＤデータ５１を格納しておく必要が無く、記憶領域を節約することができる。
【００９９】
［実施の形態８］
実施の形態８では、表示装置３０のＣＰＵ３１に上記の各実施の形態に記載した制御を実行させるためのプログラムを提供することもでき、また、センサ装置２４のＣＰＵ２１に上記の各実施の形態に記載した制御を実行させるためのプログラムを提供することもできる。
【０１００】
プログラム製品は、プログラム自体と、プログラムが記録された記録媒体とを含む。すなわち、プログラムは、一例として通信回線を介してダウンロードによって表示装置３０にダウンロードされる。または、着脱式の記憶媒体にプログラムが記憶されて、表示装置３０は装着された当該記憶媒体からプログラムを取得してもよい。また、センサ装置２４は、表示装置３０を経由して通信回線または記憶媒体からのプログラムを入力し、記憶部２５に格納するとしてもよい。
【０１０１】
なお、実施の形態８にかかるプログラムは、他のプログラムに組み込まれるプログラムの一部（モジュール）であって、当該他のプログラムの一部に組み込まれて提供されるものであってもよい。または、モジュールだけが提供されて、他のプログラムの一部に組み込まれて（またはそのモジュール部分が書き換えられて）用いられてもよい。このような他のプログラムに組み込まれた（組み込まれる）プログラムも、本発明にかかるプログラムに含まれ得る。
【０１０２】
（開示内容）
実施の形態の開示内容を以下のように表すことができる。
【０１０３】
（１）
建物内または当該建物の敷地内に設置される表示装置３０は、建物内または敷地内に設置された複数の監視の対象（窓、ドア、コンロ等）から状態情報を取得する情報取得部（センサ情報取得部７１）と、表示装置の設置場所を示す場所情報を記憶する記憶部（表示装置データベースＤＢ１）と、表示内容処理部７８と、を備える。表示内容処理部７８は、周囲の人の動きを検知したとき、取得される複数の対象の状態情報のうち、場所情報が示す場所に関連する位置に設置された対象の状態情報をディスプレイ３２に表示させるよう構成される。
【０１０４】
また、上記の建物内または当該建物の敷地内に設置される表示装置３０を制御する方法は、建物内または敷地内に設置された複数の監視の対象（窓、ドア、コンロ等）から状態情報を取得するステップ（ステップＳ１９、Ｓ２０）と、周囲の人の動きを検知したとき、取得される複数の対象の状態情報のうち、表示装置の設置場所に関連する位置に設置された対象の状態情報をディスプレイ３２に表示するステップとを備える。
【０１０５】
また、上記の制御方法を、表示装置３０のプロセッサ（ＣＰＵ３１）に実行させるプログラムが提供される。
【０１０６】
上記（１）によれば、建物内またはその敷地内における監視の対象の状態情報を玄関以外でも確認可能にする。
【０１０７】
（２）
表示装置３０は、１つ以上のセンサ（センサ装置２４）と通信し、１つ以上のセンサは、それぞれ、対象の状態を検知し、当該状態情報を送信し、センサは、当該センサの識別子（センサＩＤ８５）および当該センサが検知する対象の設置場所を示す場所データ８６を格納するためのセンサ記憶部を備え、表示装置は、センサから、センサ記憶部の当該センサの識別子と対象の場所データを受信する。
【０１０８】
上記（２）によれば、表示装置が新規に設置される場合等は、表示装置は、センサから、当該センサの識別子および当該センサが検知する対象の設置場所を示す場所データを受信することで自動的に取得できる。
【０１０９】
（３）
表示装置は、ユーザの操作内容を受付ける操作受付部（タッチパネル３８）を、さらに備え、操作内容は、センサの識別子と当該センサが検知する対象の設置場所を示す場所データを含み、表示装置３０は、センサに、操作内容が示すセンサの識別子と対象の場所データを送信する（ステップＳ５）。
【０１１０】
上記（３）によれば、センサは、表示装置３０から送信データから、自己の識別子と対象の場所データを取得することができる。
【０１１１】
（４）
表示装置３０は、他の表示装置と通信する手段と、他の表示装置から、当該他の表示装置と通信する１つ以上のセンサの識別子を受信し、ディスプレイに表示させる手段と、をさらに備える。
【０１１２】
上記（４）によれば、表示装置３０は、他の表示装置と通信することにより、当該他の表示装置に対応するセンサの識別情報を取得することができる。
【０１１３】
（５）
表示装置３０は、他の表示装置から受信した１つ以上の識別子のうちの少なくとも１つの識別子と、当該少なくとも１つの識別子のセンサが検知する対象の場所データとを、センサ記憶部に格納する手段をさらに備える。
【０１１４】
上記（５）によれば、表示装置３０は、他の表示装置に対応したセンサの識別子と当該センサが検知する対象の場所データとを自己のセンサ記憶部に転送して格納することができる。
【０１１５】
（６）
表示装置３０は、対象について取得された状態情報の履歴をディスプレイに表示させる。
【０１１６】
上記（６）によれば、対象について検知された状態情報の履歴を表示することができる。
【０１１７】
（７）
表示装置３０は、予め定められた期間における状態情報の履歴から、対象の状態の変化を検出し、検出された変化を表示させるために他の表示装置に送信する手段をさらに備える。
【０１１８】
上記（７）によれば、表示装置に対応のセンサにより検知された状態情報の予め定められた期間の履歴を、他の表示装置に送信して、他の表示装置に表示させることができる。
【０１１９】
（８）
表示装置３０は、建物の出入り口付近に設置され、周囲の人の動きは、出入り口における出入りを含み、予め定められた期間は、出入り口から出る動きを検知してから、その後に入る動きを検知するまで期間を含む。
【０１２０】
上記（８）によれば、建物の不在期間における対象の状態情報の変化を表示することができる。
【０１２１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２２】
２４  センサ装置、３０  表示装置、３２  ディスプレイ、３７  操作部、３８  タッチパネル、５５  表示設定、６５  履歴、７１  センサ情報取得部、７３  センサ処理部、７４  入力処理部、７５  判定部、７６  センサ情報処理部、７７  表示装置情報処理部、７８  表示内容処理部、８１  センサ登録部、８２  センサ情報生成部、８４  センサ情報記憶部、８６  場所データ、４０１  ネットワーク、７８１  履歴判定部、ＤＢ１  表示装置データベース、ＤＢ２  センサデータベース。
【図１】
2017224099.tif 000003
【図２】
2017224099.tif 000004
【図３】
2017224099.tif 000005
【図４】
2017224099.tif 000006
【図５】
2017224099.tif 000007
【図６】
2017224099.tif 000008
【図７】
2017224099.tif 000009
【図８】
2017224099.tif 000010
【図９】
2017224099.tif 000011
【図１０】
2017224099.tif 000012
【図１１】
2017224099.tif 000013
【図１２】
2017224099.tif 000014
【図１３】
2017224099.tif 000015
【図１４】
2017224099.tif 000016